(57)【要約】【課題】防振レンズを有する防振ユニットをレンズ装置の本体ケーシングの下面から挿脱することによって、防振レンズを簡単に組み付け、或いは取り外すことができるレンズ装置を提供する。【解決手段】防振レンズ４４を有する防振ユニット３０は、防振レンズ４４を撮影光軸Ｌと直交する面内で移動させることによって像ぶれを補正する。この防振ユニット３０は、本体ケーシング２２の下側に形成された開口２２Ａから挿脱され、絞りユニット２８の菊座４２に固定される。【選択図】      図３
2006065199.tif 000002
【特許請求の範囲】
【請求項１】
像ぶれを補正する防振レンズを本体ケーシング内に備えたレンズ装置において、
前記本体ケーシングには、前記防振レンズを有する防振ユニットを撮影光軸と略直交方向に挿脱する開口が形成されることを特徴とするレンズ装置。
【請求項２】
前記防振ユニットは、前記本体ケーシング内に設けられた絞り機構の後方に、且つ絞り機構に隣接して配置されることを特徴とする請求項１に記載のレンズ装置。
【請求項３】
前記本体ケーシングには、エクステンダ光学系を回転させて切り替えるエクステンダ機構が設けられ、
前記防振ユニットは、前記エクステンダ機構の回転軸部材に当接されて位置決めされることを特徴とする請求項１又は２に記載のレンズ装置。
【発明の詳細な説明】
【技術分野】
【０００１】
本発明はレンズ装置に係り、特に高倍率のＴＶカメラ用レンズに内蔵され、ＴＶカメラに加わった振動によって生じる像ぶれを光学的に補正するレンズ装置に関する。
【背景技術】
【０００２】
テレビカメラ等が屋外のスポーツ中継や不安定な足場上で使用される場合、振動によって生じる像ぶれを光学的に補正する補正レンズ（以下、防振レンズ）を備えたレンズ装置や着脱式の防振アダプタが用いられる。例えば、特許文献１に記載の防振アダプタは、テレビカメラとレンズ装置に間に配置されており、防振アダプタのケーシングの内部には、撮影光軸と直交する面内で防振レンズが移動自在に支持されている。そして、テレビカメラに振動が加わると、その打ち消す方向に防振レンズが駆動され、像ぶれが補正される。このような防振アダプタは、防振レンズの前後に別のレンズ系を設ける必要があるため、コストや小型化の面で不利になるという問題があった。
【０００３】
特許文献２には、防振レンズを内蔵したレンズ装置が記載されている。このレンズ装置は、防振レンズを有する防振ユニットを本体ケーシング内に組み込んでいるので、コストや小型化の面で有利である。
【特許文献１】特開２００２−１３１８２０公報
【特許文献２】特開２０００−３９６３８号公報
【発明の開示】
【発明が解決しようとする課題】
【０００４】
しかしながら、従来のレンズ装置は、防振レンズのメンテナンスを行う際に、防振レンズだけでなく他の光学系（例えばマスターレンズ）も取り外す必要があり、メンテナンスが煩雑になるという問題があった。特に、防振レンズをエクステンダ機構の前段に配置すると、防振レンズのメンテナンスの際にエクステンダ機構を取り外さねばならず、多大な労力を要するという問題があった。
【０００５】
本発明はこのような事情に鑑みてなされたもので、防振レンズを簡単に組み付け、或いは取り外すことができるレンズ装置を提供することを目的とする。
【課題を解決するための手段】
【０００６】
請求項１に記載の発明は前記目的を達成するために、像ぶれを補正する防振レンズを本体ケーシング内に備えたレンズ装置において、前記本体ケーシングには、前記防振レンズを有する防振ユニットを撮影光軸の略直交方向に挿脱する開口が形成されることを特徴とする。
【０００７】
請求項１に記載の発明によれば、防振ユニットを撮影光軸の略直交方向から本体ケーシングに挿脱するようにしたので、他の光学系を取り外すことなく、防振レンズを着脱することができる。よって、防振ユニットのみを本体ケーシングから取り外してメンテナンスしたり、防振ユニットをレンズ装置の本体と別々に組み立てたりすることができる。
【０００８】
請求項２に記載の発明は請求項１の発明において、前記防振ユニットは、前記本体ケーシング内に設けられた絞り機構の後方に、且つ絞り機構に隣接して配置されることを特徴とする。請求項２に記載の如く、防振ユニットを絞り機構の後方に隣接して配置することによって、光学特性が向上し、補正範囲も向上する。
【０００９】
請求項３に記載の発明は請求項１又は２の発明において、前記本体ケーシングには、エクステンダ光学系を回転させて切り替えるエクステンダ機構が設けられ、前記防振ユニットは、前記エクステンダ機構の回転軸部材に当接されて位置決めされることを特徴とする。
【００１０】
請求項３に記載の発明によれば、位置精度がでているエクステンダ機構の回転軸部材を利用して防振ユニットを位置決めしているので、防振ユニットを正確な位置に設置できる。また、防振ユニット専用の位置決め部材の個数を減らすことができる。
【発明の効果】
【００１１】
本発明に係るレンズ装置によれば、防振ユニットを撮影光軸の略直交方向から本体ケーシングに挿脱するようにしたので、他の光学系を取り外すことなく、防振レンズを着脱することができ、組立やメンテナンスの効率を向上させることができる。
【発明を実施するための最良の形態】
【００１２】
以下、添付図面に従って本発明に係るレンズ装置の好ましい実施形態について説明する。
【００１３】
図１には、本発明に係るレンズ装置が適用されたテレビカメラが示されている。同図に示すテレビカメラ１０は、本発明に係るレンズ装置１２と、カメラ本体１４とから構成され、レンズ装置１２は、雲台１６に載置されたカメラ本体１４の正面側に装着される。
【００１４】
雲台１６から延設されたパンチルト棒１７Ａ、１７Ｂの先端には、それぞれズームレートデマンド１８と、フォーカスポジションデマンド２０が設置されている。ズームレートデマンド１８は、サムリング１８Ａを有し、このサムリング１８Ａの回動量に対応したデータをケーブルを介してレンズ装置１２に出力する。フォーカスポジションデマンド２０は、フォーカスノブ２０Ａを有し、このフォーカスノブ２０Ａの回転量に対応したデータをケーブルを介してレンズ装置１２に出力する。
【００１５】
カメラマンは、カメラ本体１４のビューファインダ２１に映る映像を見ながら、ズームレートデマンドユニット１８のサムリング１８Ａを親指で回動操作することによりズーム操作を行い、フォーカスポジションデマンドユニット２０のフォーカスノブ２０Ａを回動操作することでフォーカス操作を行う。
【００１６】
図２には、レンズ装置１２の内部構造が模式的に示されている。同図に示すように、レンズ装置１２は本体ケーシング２２を有し、この本体ケーシング２２の内部には、撮影光軸Ｌの前方から順に、フォーカスレンズ群２４、変倍レンズ群２６、絞り機構２８、防振ユニット３０、エクステンダ機構３２、マスターレンズ３４を備える。
【００１７】
エクステンダ機構３２は、レンズ装置１２の光学系によって結像される倍率を、例えば１倍と２倍で切り替えるための装置である。エクステンダ機構３２は、図３に示すように、軸３６を中心として回転自在に支持されたターレット３８を備え、このターレット３８に、１倍の変換レンズ４０、２倍の変換レンズ４１が取り付けられている。ターレット３８は、本体ケーシング２２に設けた操作レバー（不図示）を操作することによって回動し、変倍レンズ４０、４１のいずれかが撮影光軸Ｌ上に配置される。これにより、１倍或いは２倍の像倍率を得ることができる。なお、エクステンダ機構３２の軸３６は図２に示す如く絞り機構２８の菊座４２に固定されている。菊座４２は、撮影光軸Ｌと直交して配置されており、本体ケーシング２２に固定されている。
【００１８】
図４は、防振ユニット３０を撮影光軸Ｌの後方から見た図である。同図に示すように、防振ユニット３０は主として、防振レンズ４４、移動板４６、支持板４８、Ｘ方向ボイスコイルモータ５０、及びＹ方向ボイスコイルモータ５２で構成される。防振レンズ４４は、レンズ保持枠５４に保持され、このレンズ保持枠５４を介して移動板４６に取り付けられる。
【００１９】
Ｘ方向ボイスコイルモータ５０は、防振レンズ４４をＸ方向（水平方向）に移動させるモータであり、防振レンズ４４の側方（図３中、右側）に配置される。Ｘ方向ボイスコイルモータ５０の固定子５０Ａは支持板４８に固定されており、可動子５０Ｂはプッシャー５６に支持される。プッシャー５６は、Ｘ方向に配置されて支持板４８に固定されたガイドバー５８、５８に挿通され、このガイドバー５８、５８に沿ってプッシャー５６がＸ方向にスライド自在に支持される。また、プッシャー５６には、Ｙ方向のガイドバー６０が取り付けられており、このガイドバー６０に沿って移動板４６がＹ方向にスライド自在に支持される。
【００２０】
一方、Ｙ方向ボイスコイルモータ５２は、防振レンズ４４をＹ方向（上下方向）に移動させるモータであり、防振レンズ４４の下方に配置される。Ｙ方向ボイスコイルモータ５２の固定子５２Ａは支持板４８に固定されており、可動子５２Ｂはプッシャー６２に支持される。プッシャー６２は、Ｙ方向に配置されて支持板４８に固定されたガイドバー６４、６４に挿通され、このガイドバー６４、６４に沿ってプッシャー６２がＹ方向にスライド自在に支持される。また、プッシャー６２には、Ｘ方向のガイドバー６６が取り付けられており、このガイドバー６６に沿って移動板４６がＸ方向にスライド自在となるように支持される。
【００２１】
以上の構成により、移動板４６に保持された防振レンズ４４は、撮影光軸Ｌと直交する面内でＸＹ方向に移動自在に支持される。そして、Ｘ方向ボイスコイルモータ５０を駆動することによって防振レンズ４４がＸ方向に移動され、Ｙ方向ボイスコイルモータ５２を駆動することによって防振レンズ４４がＹ方向に移動される。
【００２２】
このように構成された防振ユニット３０には、移動板４６のＸ方向の速度を測定するＸ方向速度センサ７０と、移動板４６のＹ方向の速度を測定するＹ方向速度センサ７２とが設けられている。また、防振ユニット３０には、移動板４６のＸ方向の位置を検出するＸ方向位置センサ７４と、移動板４６のＹ方向に位置を検出するＹ方向位置センサ７６とが設けられている。これらの位置センサとしては、例えばＬＥＤとＰＳＤ(Position Sensor Device)が用いられる。ＬＥＤとＰＳＤは、一方が移動板４６に、他方が支持板４８に取り付けられ、互いに対向して配置される。そして、ＬＥＤから照射された光のスポット位置をＰＳＤで検出することによって、移動板４６の位置が検出される。これらのセンサ７０、７２、７４、７６は、本体ケーシング２２内に設けられた振動検出センサ（不図示）とともにＣＰＵ（不図示）に接続されており、それらの検出値によってＸ方向ボイスコイルモータ５０とＹ方向ボイスコイルモータ５２が駆動制御される。これにより、レンズ装置１２やカメラ本体１４に加わった振動に応じて防振レンズ４４をＸ方向、Ｙ方向に移動させることができ、像ぶれを補正することができる。
【００２３】
上記の防振ユニット３０には、ロック機構７８が設けられる。ロック機構７８は例えば、移動板４６に撮影光軸Ｌ方向に形成された円錐状の孔（不図示）と、この孔に進退自在に設けられた円錐状のロック部材（不図示）とから成り、ロック部材を移動板４６の孔に挿入することによって移動板４６が移動不能にロックされる。ロックされた際、防振レンズ４４は撮影光軸Ｌ上に位置決めされる。また、ロック部材を移動板４６の孔から退避させることによってロックが解除される。このようなロック機構７８は、防振機構のＯＮ／ＯＦＦスイッチ（不図示）を操作することによって、ロック解除／ロックが切り替えられる。なお、防振機構のＯＮ／ＯＦＦスイッチは、例えば、図３の本体ケーシング２２の側面、或いは、図１のパンチルト棒１７Ａ、１７Ｂの先端に設けられる。
【００２４】
ところで、防振ユニット３０は、図３の本体ケーシング２２の下面に形成された開口２２Ａから挿脱される。開口２２Ａは、絞り機構２８とエクステンダ機構３２との間の位置に形成されており、撮影光軸Ｌと直交する方向に細長いスリット状に形成されている。なお、開口２２Ａは、防振ユニット３０を挿脱した後、不図示の蓋等によって閉じられるようになっている。
【００２５】
開口２２Ａから防振ユニット３０を挿入すると、防振ユニット３０は、支持板４８がエクステンダ機構３２の軸３６等に当接して位置決めされる。すなわち、支持板４８には、図４に示す如く、撮影光軸Ｌの真上となる位置に円弧状の凹部４８Ａが形成されている。この凹部４８Ａの曲率は、エクステンダ機構３２の軸３６の曲率に合わせて形成される。また、支持板４８の右上部分には円弧状の凹部４８Ｂが形成されており、この凹部４８Ｂは、絞り機構２８の菊座４２に立設された位置決めピン８０に合わせて形成される。したがって、支持板４８を下方からスライド移動させると、支持板４８の凹部４８Ａ、４８Ｂが軸３６やピン８０に当接するので、支持板４８は撮影光軸Ｌと直交する面内で正確に位置決めされる。
【００２６】
位置決めされた支持板４８は、ねじ８２、８２…によって菊座４２に固定される。支持板４８が菊座４２に当接して固定されることによって、支持板４８は、撮影光軸Ｌ方向に位置決めされて固定される。
【００２７】
なお、ねじ８２を図２の本体ケーシング２２の外側から締めたり緩めたりできるように構成することが好ましい。例えば、図３に示す如くターレット３８に貫通孔８４、８４…を形成し、この貫通孔８４、８４…にドライバ等の工具を挿入することによって、ねじ８２を締めたり緩めたりできるように構成することが好ましい。
【００２８】
上記の如く構成されたレンズ装置１０によれば、防振ユニット３０は本体ケーシング２２の下面の開口２２Ａから挿脱される。したがって、防振ユニット３０を単独で着脱することができ、他のレンズ系（すなわち、フォーカスレンズ群２４、変倍レンズ群２６、エクステンダ機構３２、マスターレンズ３４）を取り外す必要がない。他のレンズ系を取り外す場合には、そのレンズ系を撮影光軸Ｌに対して正確に位置決めして取り付けねばならないため、非常に煩雑な作業となるが、本実施の形態ではその作業の必要がないので、防振ユニット３０を着脱する作業、例えば防振ユニット３０のメンテナンスを効率よく行うことができる。
【００２９】
また、本実施の形態では、防振ユニット３０を単独で着脱できるようにしたので、防振ユニット３０と、防振ユニット３０を除くレンズ装置とを別々に組み立てることができ、効率よく組み立てることができる。なお、防振ユニット３０を除くレンズ装置を組み立てる際、防振ユニット３０の代わりに、固定式の補正レンズを有する治具を開口２２Ａから差し込んで組み付けるとよい。また、固定式の補正レンズを有する治具を組み付けて、防振機能のないレンズ装置とすることもできる。
【００３０】
さらに、本実施の形態では、防振ユニット３０の位置決め手段として、位置精度の高いエクステンダ機構３２の軸３６を利用したので、防振ユニット３０を正確に位置決めできるとともに、専用の位置決め手段を省くことができる。
【００３１】
なお、上述した実施の形態は、絞り機構２８とエクステンダ機構３２との間に防振ユニット３０を配置したが、防振ユニット３０の位置はこれに限定するものではなく、エクステンダ機構３２とマスターレンズ３４との間や、絞り機構２８よりも前方に配置してもよい。ただし、防振ユニット３０は、マスターレンズ３４よりも前方に配置することが好ましい。
【００３２】
また、上述した実施の形態は、本体ケーシング２２の下面から防振ユニット３０を挿脱するようにしたが、これに限定するものではなく、撮影光軸Ｌの略直交方向から本体ケーシング２２に挿脱するのであればよく、例えば、本体ケーシング２２の左右側面や上面から挿脱するようにしてもよい。
【００３３】
また、上述した実施の形態は、エクステンダ機構３２の軸３６を利用して防振ユニット３０を位置決めするようにしたが、位置決め手段はこれに限定するものではなく、他の部材、例えばフォーカスレンズ群２４や変倍レンズ群２６を撮影光軸Ｌ方向にガイドするガイド（不図示）等を利用して防振ユニット３０を位置決めするようにしてもよい。
【００３４】
さらに、上述した実施の形態は、ＥＦＰカメラに装着するレンズ装置の例で説明したが、ＥＮＧカメラに装着するレンズ装置に本発明を適用してもよい。
【図面の簡単な説明】
【００３５】
【図１】本発明に係るレンズ装置が適用されたテレビカメラ装置を示す斜視図
【図２】レンズ装置の内部構造を模式的に示す図
【図３】レンズ装置の分解斜視図
【図４】防振ユニットの構成を示す図
【符号の説明】
【００３６】
１０…テレビカメラ、１２…レンズ装置、１４…カメラ本体、２４…フォーカスレンズ群、２６…変倍レンズ群、２８…絞り機構、３０…防振ユニット、３２…エクステンダ機構、３４…マスターレンズ、３６…軸、４２…菊座、４４…防振レンズ、４６…移動板、４８…支持板、５０…Ｘ方向ボイスコイルモータ、５２…Ｙ方向ボイスコイルモータ
【図１】
2006065199.tif 000003
【図２】
2006065199.tif 000004
【図３】
2006065199.tif 000005
【図４】
2006065199.tif 000006